(57)【特許請求の範囲】
【請求項１】
基端に凹状の第一皿部を有し、前記第一皿部から先端へと延設された軸部と、
一端に凹状の第二皿部を有すると共に、他端に第三皿部を有し、前記軸部と交差して設けられる鼓部と、
前記鼓部に紐状部を介して連結された玉部とを備え、
前記鼓部は、
前記軸部を挿通する貫通孔と、
前記紐状部を通して取り付ける取付孔とを有し、
前記取付孔は、一端が前記貫通孔内に開口し、他端が前記貫通孔から離れた位置の前記鼓部の表面に開口していることを特徴とするけん玉。
【請求項２】
前記第二皿部は、前記第三皿部より小径に形成されており、前記取付孔は、前記第二皿部側に設けられていることを特徴とする請求項１に記載のけん玉。
【請求項３】
前記取付孔は、前記第三皿部側に設けられていることを特徴とする請求項１に記載のけん玉。
【請求項４】
前記取付孔は、前記鼓部の所定位置に複数設けられていることを特徴とする請求項１〜３の何れかに記載のけん玉。
【請求項５】
前記取付孔は、前記鼓部の前面及び背面に設けられ、互いが対向する位置に設けられていることを特徴とする請求項１〜４の何れかに記載のけん玉。
【請求項６】
前記取付孔には、当該取付部を識別する識別手段が設けられていることを特徴とする請求項１〜５の何れかに記載のけん玉。
【請求項７】
前記識別手段は、前記取付孔に施された色彩であることを特徴とする請求項６に記載のけん玉。
【請求項８】
前記取付孔は、前記鼓部に対して着脱自在な着脱部材に設けられ、一端が前記着脱部材の表面側に開口し、他端が前記鼓部の表面側に開口していることを特徴とする請求項１〜
３の何れかに記載のけん玉。
【請求項９】
前記軸部は、前記紐状部を固定する固定部を有し、前記軸部と、前記鼓部と、前記玉部とが、前記紐状部を介し、所定の間隔を空けて連結されていることを特徴とする請求項１〜６の何れかに記載のけん玉。
【発明の詳細な説明】
【０００１】
【発明の属する技術分野】
本発明は、けん玉に関する。
【０００２】
【従来の技術】
けん玉は、古くからの和風玩具であり、所定の箇所に複数の皿部を有する槌に紐で繋がれた玉をほうり投げ、前記皿部により前記玉を受けて楽しむものである。より詳細に説明すると、一般的なけん玉は、図１７、図１８に示すように、両端に凹状の受皿を有する鼓状の鼓部１０５と、この鼓部１０５と直交する棒状の軸部１０４と、所定の位置に孔部を有する玉１１２と、玉１１２を鼓部１０５に結びつける紐１０３とにより構成されている。前記両受皿は、互いに大きさが異なり、大きい方を大皿１１０とし、小さい方を小皿１０９とする。
【０００３】
そして、前記両受皿に挟まれた中間部分は外周がくびれ、上述したように鼓形であり、最大にくびれた中間部分には軸部１０４と直角に交差する方向に貫通孔が形成されている。また、軸部１０４の先端部は先細に形成され挿入部となり、この挿入部は鼓部１０５の貫通孔（図示せず）に挿入され、外方に突出している。
【０００４】
また、玉１１２は紐１０３によって鼓部１０５に繋がれている。この紐１０３は、一端が玉１１２と繋がれており、他端は、前記鼓部１０５に設けられた前記貫通孔に対して、垂直方向に形成された取付穴１１３へ通される。そして、紐１０３の端部に取付穴１１３より大きな結び目を作り、取付穴１１３から抜けないように固定する。このようにして玉１１２と鼓部１０５は繋がれる。
【０００５】
【発明が解決しようとする課題】
ところで、けん玉の遊技には何種類かの技がある。例えば、軸部１０４の先端を下に向けて構え、下に提げた玉１１２を垂直に引き上げて大きい方の皿部に玉１１２を載せる「大皿」と称される技や、下に提げた玉１１２を垂直に引き上げて軸部１０４に入れる「とめけん」と称される技や、玉１１２を大きく振り出し一回転してくるところを軸部１０４で突き刺す「ふりけん」と称される技や、軸部１０４を大きく前に振って、軸部１０４の先を玉１１２に設けられている孔に入れる「飛行機」と称される技等がある。
【０００６】
この「飛行機」という技は、図１７に示すように、軸部１０４が垂下するように玉１１２と軸部１０４を所定の位置に構える。そして、軸部１０４を振り出し、タイミングを合わせて玉１１２を手前に引き、軸部１０４を玉１１２に設けられた孔に入れる。この技は、軸部１０４の振り出しと玉１１２を引くタイミングを合わせなくてはならない為、習熟した技術を要しない限り容易に成し得ることは困難であった。
【０００７】
何故なら、図１８に示すように、紐１０３の取付穴１１３は、両端に大きさの異なる皿部を有する鼓部１０５の中心に設けられているため、軸部１０４を垂下させると大皿１１０側が下方に傾いてしまう。
【０００８】
そして、玉１１２と軸部１０４を所定の位置に構え、軸部１０４を振り出すと、大皿１１０は、けん玉の操作者に対して奥側（図１８中Ｓ方向）にゆっくり回転を始めるが、その回転スピードが遅い為、軸部１０４を振り出した後に玉１１２を引くタイミングでは玉１１２を引く力が軸部１０４の回転（図１８中Ｓ方向）を促進する方向に働きだし、飛行機等の技を行う間に大皿１１０が必要以上に回転してしまった。
【０００９】
このように、けん玉を操作する際に余計な回転が加わると、より複雑な技を行う際に軸部１０４の状態が視認しにくくなってしまい、技を完成させる確率が極めて低くなってしまう。
【００１０】
そこで、本発明は、上述した従来の問題点に鑑みてなされたもので、その解決しようとする課題は、けん玉の回転を安定させることにある。
【００１１】
また、本発明の課題は、遊技にさらなる面白みを持たせることにある。
【００１２】
【課題を解決するための手段】
本発明のけん玉は、前記課題を解決するために、以下の手段を採用した。すなわち本発明のけん玉は、基端に凹状の第一皿部を有し、その第一皿部から先端へと延設された軸部と、一端に凹状の第二皿部を有すると共に、他端に第三皿部を有し、前記軸部と垂直に交差して設けられる鼓部と、前記鼓部に紐状部を介して連結された玉部とを備え、鼓部の中心から所定の距離を空けた位置に、前記紐状部を取り付ける取付部が設けられていることを特徴とする。
【００１３】
より具体的に説明すると、前記第二皿部は、前記第三皿部より小径に形成されている。そして、前記取付部は、第二皿部側、つまり小皿側に設けられている。
【００１４】
このように小皿側に紐取付部が設けられていることにより、飛行機の技を行う際、軸部を振り出すと、大皿はけん玉の操作者とは反対側（図１６中Ｒ方向）に素早く回転を始め、玉部を引く所定のタイミングでは大皿がけん玉操作者の反対側を向く。この時玉部を引くと、大皿が回転していた向きとは逆向き（図１６中Ｐ方向）の力が働くこととなり、大皿が回転していた力と相殺して軸部に生じていた必要以上の回転が抑えられる。このため軸部の先端が視認しやすくなる。
【００１５】
また、大皿側に取付部を設けても同様の効果を得ることができる。
【００１６】
さらに、この取付部は、前記鼓部の所定の位置に複数設けられていても良い。取付部が複数設けられていれば、上述したような小皿側の取付部と、大皿側の取付部とを遊技者の意志によって自由に選択することができる。すなわち、遊技者の意志により遊技の難易度を変化させることができる。
【００１７】
また、本発明のけん玉における取付部は、前記鼓部の前面及び背面に設けられ、互いが対向する位置に設けられている構成としても良い。
【００１８】
さらに、本発明のけん玉における取付部には、当該取付部を識別する識別手段が設けられていても良い。例えば、識別手段として、取付部に色彩が施されることを挙げられる。この色彩は、製造の段階で予め指定された色をつけても良いし、購入後、遊技者が好きな色を自由に選択し取付部に色を付けられるようにシールのようなもので色を付けても良い。さらに、取付部に色をつけたブシュを嵌め込んで、識別効果を発揮させつつ、取付部自体の耐久性を向上させるような構成であっても良い。
【００１９】
また、取付部が小皿側と大皿側というように複数設けられた場合には、遊技の難易度を示すように識別手段を設けても良い。例えば、大皿側及び小皿側に取付部が設けられた場合は難易度が低いので青色、鼓部の中心に取付部が設けられた場合は従来のけん玉と変わらず難易度が高いので赤色、というような例が挙げられる。
【００２０】
さらに、本発明のけん玉は、前記鼓部に対して着脱可能とする着脱部材に前記取付部を設ける構成とする。これは、例えば、予め取付部となる取付穴を設けたプレート状の部材を鼓部側面に取り付けるものを挙げることができる。
【００２１】
また、着脱部材に取付穴を設けることにより、けん玉自体の加工性が向上する。前述した通りけん玉は、軸部と、鼓部とがそれぞれ別々に形成され、互いを組み合わせることにより成り立っていた。これは、鼓部に取付穴を設け、一端が玉と接続された紐を通して、それを固定するため必要不可欠な構成であった。
【００２２】
しかし、本発明のように着脱部材に取付部（取付穴）が設けられていれば、軸部と鼓部を一体成型により形成することができるようになる。すると、軸部を取り付けるための貫通孔を鼓部に空ける作業工程と、軸部及び鼓部を組み付ける作業工程が削除され、作業効率が向上する。
【００２３】
また、取付部が設けられた着脱部材を鼓部に取り付けることにより、今までのけん玉とは異なる外観を表現することができる。この他にも、着脱部材を用いることにより、発光体を有する着脱部材や、玉が鼓部に接触したときに音を発するような構成を有する着脱部材等が容易に実現できるようになる。
【００２４】
さらに、本発明のけん玉は、軸部に取付部（取付穴）を有する構成であっても良い。例えば、軸部に設けられた取付穴に紐の端部を固定し、他端を鼓部に設けられた挿入穴に通す。最後に、紐の他端に玉を固定する。すると、軸部と、鼓部と、玉とが紐によって繋がれた状態となる。
【００２５】
このような状態とすることにより、遊技中、万が一鼓部と軸部が離脱してしまっても各パーツが別々に散らばることがなくなるため、離脱した各パーツが遊技者やその周囲にいる人や物等にぶつかることを防ぐことができる。
【００２６】
【発明の実施の形態】
＜第１の実施形態＞
以下、本発明のけん玉の実施形態を添付した図面を参照して説明する。まず初めに本発明のけん玉の構成を図１〜図７に基づいて説明する。本発明のけん玉は、図１に示すように小槌状の槌体２と、玉１２と、槌体２と玉１２を結ぶ紐状部３により構成されている。尚、本明細書中では、紐状部３を紐として説明することとする。
【００２７】
また、前記槌体２は、棒状の軸部４と、鼓状の鼓部５とにより構成されており、この軸部４は、基端に凹状の第一皿部６を有し、先端へと延設されている。尚、先端には先端部７を有している。第一皿部６は棒状の軸部４の底面側に設けられている。そして、第一皿部６から軸部４の先端部７へと所定間隔を空けて滑り止め８が設けられている。この滑り止め８は、遊技者が軸部４を把持し遊戯を行う際手が滑らないようにするためのものである。尚、この滑り止め８は、軸部４の側面より突出した凸状のものであれば、径に沿って設けたものでも、一部に設けたものでもよく、その形状を特に限定するものではない。また、軸部４は先端部７に向かうに従って次第に小径となるように形成されている。
【００２８】
さらに、鼓部５は、一端に凹状の第二皿部９を有すると共に第三皿部１０とを有している。第二皿部９と第三皿部１０は互いに異なる大きさに形成されており、第二皿部９は第三皿部１０より小径となっている。従って、本明細書中では第二皿部９を小皿、第三皿部１０を大皿として説明を行うこととする。
【００２９】
加えて、図６及び図７に示すように、鼓部５の最大にくびれた部分には貫通孔１１が設けられている。この貫通孔１１には、図１〜５に示す軸部４が鼓部５と交差するように挿入される。貫通孔１１の径は、図１、２に示す先端部７の径よりは大径に形成されているが、軸部４は図１に示す第一皿部６側に向かうに従って径が大きくなるため、軸部４の途中（所定の位置）で軸部４と貫通孔１１が嵌合する大きさに形成されている。
【００３０】
また、図１、図６、図７に示すように、鼓部５の中心から所定の距離を空けた位置には、図１〜５に示す紐３を取り付ける取付穴１３（取付部）が設けられている。この取付穴１３は図６及び図７からもわかるように、貫通孔１１と連通して穿設されている。さらに、取付穴１３は小皿９と大皿１０とを鼓部５の両端としたときの垂直方向に延びた中心線よりも小皿９寄りに設けられている。この取付穴１３に、一端が図１〜５に示す玉１２に固定された紐３を通す。そして、取付穴１３に通した紐３の端を結んだり接着剤により接着等して、鼓部５に紐３を固定する。
【００３１】
さらに、紐３により玉１２と繋がれた鼓部５と、軸部４を組み付ける。これは前述したように、鼓部５に設けられている貫通孔１１に軸部４の先端部７を挿入し、所定位置まで軸部４を押し込み貫通孔１１と軸部４を確実に嵌合させる。
【００３２】
以上が本実施の形態におけるけん玉１の構成である。
【００３３】
このような構成のけん玉１によると、図１５に示す「飛行機」等の技を行う際に、従来より懸念されてきた必要以上の回転が生じ難くなる。以下、その原理を説明する。
【００３４】
なぜならば、紐３の取付位置、つまり取付穴１３が小皿９側に寄ったため、玉１２の部分を持って槌体２を垂下させると大皿１０側が更に下方に傾く。
【００３５】
すると、軸部４を垂下させた状態で玉１２と軸部４を所定の位置に構え、軸部４を振り出したときに図１６に示す、取付穴１３を回転中心として小皿９から大皿１０に向かう方向（図１６中Ｒ方向）へ回転しようとする力が働く。
【００３６】
そして、図１５に示すように、大皿１０が回転し、操作者と反対側に大皿１０が位置するようになった時点で玉１２を操作者側に引き寄せる。玉１２を手前に引き寄せることにより、回転運動中（図１６中Ｒ方向）の軸部４及び槌体２は回転運動を妨げられる。
【００３７】
つまり、この操作により、大皿１０の小皿９側への必要以上の回転を抑えることが可能となる。これによって、前述した「飛行機」や、「飛行機」よりさらに必要以上の回転が生じる「一回転飛行機」等の技を成功させ易くなる。
【００３８】
また、上述した取付穴１３は、鼓部５の所定の位置に複数設けられていても良い。これにより、遊技に難易度をつけることができるため、遊技者の遊技に対する面白みと、遊技の達成感とを向上させることができる。
【００３９】
さらに、図８に示すように、小皿９、大皿１０を両端とした場合の鼓部５における前面及び背面に、取付穴１３ａ、１３ｂを設ける構成としても良い。このとき、前面と背面に設けられた取付穴１３ａ、又は取付穴１３ｂは対向していると好ましい。
【００４０】
すると、遊技者は利き腕に合わせて取付穴１３を選択することができるようになるため、けん玉１の操作性を向上させることができる。
【００４１】
＜第２の実施形態＞
本実施の形態におけるけん玉１は、取付穴１３が大皿１０側に設けられている構成とした。尚、本実施の形態におけるけん玉１の構成は、上述した第１の実施形態におけるけん玉１と同様の構成であるとして重複する部分の説明は省略する。また、第一の実施の形態におけるけん玉を構成する部分と同様の機能を有する部分には、説明の便宜を図る為同一の符号を付す。
【００４２】
本実施の形態におけるけん玉１は、図９に示すように、小皿９と大皿１０とを鼓部５の両端としたときの垂直方向に延びた中心線より大皿１０側に取付穴１３が穿設されている。
【００４３】
このように大皿側に取付穴１３が穿設されていることにより、第１の実施の形態のけん玉同様の効果を得ることができる。
【００４４】
勿論、本実施の形態における取付穴１３も第１の実施形態と同様に、複数設けられていても良い。
【００４５】
さらに、図１０に示すように、本実施の形態と第１の実施形態とを組み合わせて、鼓部５の前面及び背面に、小皿９寄りに設けられた取付穴１３ｂと、大皿１０寄りに設けられた取付穴１３ａとをそれぞれに設ける構成としても良い。
【００４６】
＜第３の実施形態＞
本実施の形態におけるけん玉１は、図１１に示すように、取付穴１３ａ、１３ｂ、１３ｃが複数設けられている場合において、それらの取付穴１３ａ、１３ｂ、１３ｃを識別する識別手段が設けられている構成とした。尚、本実施の形態におけるけん玉１も、第１の実施形態及び第２の実施形態におけるけん玉１と同様の構成であるため重複する部分の説明を省略する。また、重複する部分の符号は、第一の実施の形態及び第二の実施の形態と同様の符号を付す。
【００４７】
本実施の形態における識別手段として様々なものが挙げられる。例えば、取付穴１３ａ、１３ｂ、１３ｃの形状を丸だけでなく、星形やハートマーク等に変化させて取付穴１３ａ、１３ｂ、１３ｃを識別ことや、各々の取付穴１３ａ、１３ｂ、１３ｃの径を変えることにより取付穴１３を識別すること等の例が挙げられる。
【００４８】
識別手段として最も好適な一例として、図１２に示すように取付穴１３に施される色彩が挙げられる。例えば、大皿１０側及び小皿９側に設けられた取付穴１３ａ、１３ｃの取付位置は難易度が低いので青色、鼓部５の中心に設けられた取付穴１３ｂの取付位置は従来のものと変わらず難易度が高いので赤色、というような色彩の組み合わせ例が挙げられる。
【００４９】
このように、難易度別に識別手段を実行すると、難易度を一目瞭然とすることができる。さらに、この識別手段に基づいて、技に対する得点を設定し競技を行うと遊技に対する面白みが向上する。
【００５０】
＜第４の実施形態＞
本実施形態におけるけん玉１は、軸部４にも紐３を取り付ける取付穴（取付部）１８を有する構成とした。尚、本実施の形態におけるけん玉も、第１の実施形態、第２実施形態、第３実施形態におけるけん玉と同様の構成であるため重複する部分の説明を省略する。また、重複する部分の符号は第一の実施形態、第二の実施形態、第三の実施形態と同様の符号を付す。
【００５１】
まず、図１３に本実施形態における軸部４を示す。この軸部４は鼓部５が嵌合したときのことを考慮した所定の位置に軸部４を貫通する穴、すなわち取付穴１８が穿設されている。
【００５２】
このように、軸部４にも取付穴１８が設けられているため、図１〜５に示す紐３を取り付ける場合まず初めに、軸部４に設けられた取付穴１８に紐３を通し紐３の一端を固定する。次に、前述してきたけん玉１と同様、鼓部５に設けられた取付穴１３へ紐３を通し固定する。そして最後に、紐３の他端を図１〜５に示す玉１２に固定する。すると、軸部４と、鼓部５と、玉１２部とが、紐３を介し所定の間隔を空けて連結された状態となる。
【００５３】
このように、紐３により軸部４、鼓部５、玉１２の各パーツが連結しているため、万が一遊遊技中に軸部４から鼓部５がはずれてしまっても、それらのパーツがバラバラとなって飛散するのを防ぐことができる。すると、これらのパーツが遊技者自身或いは周囲にいる人や物等にあたる虞を軽減することができる。
【００５４】
＜第５の実施の形態＞
本実施の形態のけん玉１における取付部１３が、前記鼓部５に対して着脱自在な着脱部材に設けられている構成とした。尚、本実施の形態におけるけん玉も、第１の実施形態、第２実施形態、第３実施形態、第４の実施形態におけるけん玉と同様の構成であるため重複する部分の説明を省略する。
【００５５】
本実施の形態における着脱部材として、例えば、図１４に示すような着脱部材１４が考えられる。この着脱部材１４は、図１に示す小皿９及び大皿１０に干渉せず鼓部５の中央に取付可能な大きさを有する面板部１５と、この面板部１５の上下二箇所ずつ設けられたＵ字型の係止部１６とにより構成されている。
【００５６】
また前記面板部１５には、図１に示す紐３を所定の箇所に取り付ける取付穴（取付部）１３ａ、１３ｂ、１３ｃが設けられている。この取付穴１３ａ、１３ｂ、１３ｃは、第１の実施形態及び第２の実施形態で述べたように、大皿１０側に設けられている取付穴１３ａのみとしても、小皿９側に設けられている取付穴１３ｃのみとしても、はたまたそれら両方の取付穴１３ａ、１３ｃに加え従来通りの取付位置に設けられた取付穴１３ｂを一緒に設けてもよい。
【００５７】
この着脱部材１４を図１に示す鼓部５に取り付けることにより、けん玉１自体の加工性が向上する。なぜならば、前述した通りけん玉１は、軸部４と、鼓部５とがそれぞれ別々に形成され、互いを組み合わせることにより成り立っていた。これは、鼓部５に取付穴１３ａ、１３ｂ、１３ｃを設け、この取付穴１３ａ、１３ｂ、１３ｃに一端が玉１２と接続した紐３を通して、それを固定するため必要不可欠な構成であった。
【００５８】
しかし、本発明のように取付穴１３ａ、１３ｂ、１３ｃが設けられている着脱部材１４を装着することにより、軸部４と鼓部５を別個に形成せずとも一体成型により形成することができるようになる。すると、鼓部５に軸部４を取り付けるための貫通孔１１を空ける作業工程と、軸部４及び鼓部５を組み付ける作業工程を省くことができ、作業効率が向上する。
【００５９】
また、取付穴１３ａ、１３ｂ、１３ｃが設けられた着脱部材１４を鼓部５に取り付けることにより、今までのけん玉１とは異なる外観を表現することができる。この他にも、着脱部材１４を用いることにより、発光体を有する着脱部材１４や、玉１２が鼓部５に接触したときに音を発するような構成を有する着脱部材１４等が容易に実現できるようになる。
【００６０】
さらに、図示しないが、本実施の形態と第３の実施形態とを組み合わせて着脱部材１４に設けられた取付穴１３ａ、１３ｂ、１３ｃに識別手段を施しても良い。
【００６１】
【発明の効果】
以上の構成によって本発明のけん玉によれば、当該けん玉の回転を安定させることが可能となる。
【００６２】
さらに、本発明のけん玉によれば、遊技にさらなる面白みを持たせることもできる。
【図面の簡単な説明】
【図１】  第１の実施の形態におけるけん玉の正面図を示す。
【図２】  第１の実施の形態におけるけん玉の平面図を示す。
【図３】  第１の実施の形態におけるけん玉の底面図を示す。
【図４】  第１の実施の形態におけるけん玉の小皿側の側面図を示す。
【図５】  第１の実施の形態におけるけん玉の大皿側の側面図を示す。
【図６】  第１の実施の形態における鼓部の平面図を示す。
【図７】  第１の実施の形態における鼓部のＡ−Ａ断面図を示す。
【図８】  第１の実施の形態の変形例における鼓部の平面図を示す。
【図９】  第２の実施の形態における鼓部の平面図を示す。
【図１０】  第２の実施の形態の変形例における鼓部の平面図を示す。
【図１１】  第３の実施の形態における鼓部の平面図を示す。
【図１２】  第３の実施の形態の変形例における鼓部の平面図を示す。
【図１３】  第４の実施の形態における軸部の平面図を示す。
【図１４】  第５の実施の形態における着脱部材の分解斜視図を示す。
【図１５】  本発明のけん玉における「飛行機」の状態図を示す。
【図１６】  本発明のけん玉における鼓部の回転の状態図を示す。
【図１７】  従来のけん玉における「飛行機」の状態図を示す。
【図１８】  従来のけん玉における鼓部の回転の状態図を示す。
【符号の説明】
１、１０１  けん玉
２  槌体
３、１０３  紐状部（紐）
４、１０４  軸部
５、１０５  鼓部
６  第一皿部
７  先端部
８  滑り止め
９、１０９  第二皿部（小皿）
１０、１１０  第三皿部（大皿）
１１、１１１  貫通孔
１２、１１２  玉
１３、１８、１１３  取付部（取付穴）
１４  着脱部材
１５  面板部
１６  係止部
【図１】
0003641440.tif 000002
【図２】
0003641440.tif 000003
【図３】
0003641440.tif 000004
【図４】
0003641440.tif 000005
【図５】
0003641440.tif 000006
【図６】
0003641440.tif 000007
【図７】
0003641440.tif 000008
【図８】
0003641440.tif 000009
【図９】
0003641440.tif 000010
【図１０】
0003641440.tif 000011
【図１１】
0003641440.tif 000012
【図１２】
0003641440.tif 000013
【図１３】
0003641440.tif 000014
【図１４】
0003641440.tif 000015
【図１５】
0003641440.tif 000016
【図１６】
0003641440.tif 000017
【図１７】
0003641440.tif 000018
【図１８】
0003641440.tif 000019